(57)【要約】【課題】照合に用いる識別情報の多様化に対応可能とする。【解決手段】操作端末２０の照合要求部２３が、ＩＤカード１０から識別情報を全て読み出して、これら識別情報ごとに、当該識別情報の照合要求を照合装置４０に対して順に通知し、照合装置４０の照合処理部４４が、操作端末２０からの照合要求の通知に応じて、当該照合要求に含まれる識別情報に基づき入退室可否を照合し、得られた照合結果を操作端末２０へ返送し、操作端末２０の照合結果検索部２４が、各照合要求に対して照合装置４０から返送された照合結果から照合成功を検索し、照合成功の検索有無を示す検索結果を照合装置４０へ通知し、照合装置４０の入退室処理部４５が、操作端末２０からの検索結果の通知に応じて検索結果を確認し、検索結果が示す照合成功の検索有無に基づいて管理区画に対する利用者の入退室可否を判定する。【選択図】  図１
2015036469.tif 000002
【特許請求の範囲】
【請求項１】
施設内の各管理区画に設けられて、利用者の記録媒体に記録されている照合用の識別情報を読み出す操作端末と、
伝送回線を介して前記操作端末と接続されて、当該操作端末から通知された前記識別情報に基づいて予め登録されている登録情報を参照することにより、前記管理区画に対する前記利用者の入退室可否を照合する照合装置とを備え、
前記操作端末は、
前記記録媒体から前記識別情報を全て読み出して、これら識別情報ごとに、当該識別情報の照合要求を前記照合装置に対して順に通知する照合要求部と、
前記各照合要求に対して前記照合装置から返送された各照合結果から照合成功を示す照合結果を検索し、照合成功の検索有無を示す検索結果を当該照合装置へ通知する照合結果検索部を備え、
前記照合装置は、
前記操作端末からの前記照合要求の通知に応じて、当該照合要求に含まれる識別情報に基づき前記入退室可否を照合し、得られた照合結果を当該操作端末へ返送する照合処理部と、
前記操作端末からの前記検索結果の通知に応じて当該検索結果を確認し、当該検索結果が示す照合成功の検索有無に基づいて、前記管理区画に対する前記利用者の入退室可否を判定する入退室処理部と備える
ことを特徴とする入退室管理システム。
【請求項２】
請求項１に記載の入退室管理システムにおいて、
前記照合要求部は、前記照合装置からの照合成功を示す前記照合結果の返送に応じて、残りの識別情報に関する照合要求の通知を中止し、
前記照合結果検索部は、前記照合装置からの照合成功を示す前記照合結果の返送に応じて、照合成功の検索ありを示す検索結果を当該照合装置へ通知する
ことを特徴とする入退室管理システム。
【請求項３】
施設内の各管理区画に設けられて、利用者の記録媒体に記録されている照合用の識別情報を読み出す操作端末と、伝送回線を介して前記操作端末と接続されて、当該操作端末から通知された前記識別情報に基づいて予め登録されている登録情報を参照することにより、前記管理区画に対する前記利用者の入退室可否を照合する照合装置とを備える入退室管理システムで用いられる入退室管理方法であって、
前記操作端末の照合要求部が、前記記録媒体から前記識別情報を全て読み出して、これら識別情報ごとに、当該識別情報の照合要求を前記照合装置に対して順に通知する照合要求ステップと、
前記照合装置の照合処理部が、前記操作端末からの前記照合要求の通知に応じて、当該照合要求に含まれる識別情報に基づき前記入退室可否を照合し、得られた照合結果を当該操作端末へ返送する照合処理ステップと、
前記操作端末の照合結果検索部が、前記各照合要求に対して前記照合装置から返送された前記各照合結果から照合成功を示す照合結果を検索し、照合成功の検索有無を示す検索結果を当該照合装置へ通知する照合結果検索ステップと、
前記照合装置の入退室処理部が、前記操作端末からの前記検索結果の通知に応じて当該検索結果を確認し、当該検索結果が示す照合成功の検索有無に基づいて、前記管理区画に対する前記利用者の入退室可否を判定する入退室処理ステップ
と備えることを特徴とする入退室管理方法。
【請求項４】
請求項３に記載の入退室管理方法であって、
前記照合要求ステップは、前記照合装置からの照合成功を示す前記照合結果の返送に応じて、残りの識別情報に関する照合要求の通知を中止し、
前記照合結果検索ステップは、前記照合装置からの照合成功を示す前記照合結果の返送に応じて、照合成功の検索ありを示す検索結果を当該照合装置へ通知する
ことを特徴とする入退室管理方法。
【発明の詳細な説明】
【技術分野】
【０００１】
本発明は、入退室管理技術に関し、特に記録媒体に記録されている照合用の識別情報を用いて入退室を判定する入退室管理技術に関する。
【背景技術】
【０００２】
一般に、施設において特定の管理区画に対する利用者の入退室を管理する入退室管理システムでは、利用者のＩＤカードなどの記録媒体に記録されている照合用の識別情報を、予め登録されている登録識別情報と照合し、その照合結果に基づいて、入退室可否を判定するものとなっている（例えば、特許文献１−３など参照）。
【先行技術文献】
【特許文献】
【０００３】
【特許文献１】特開平０９−１１２０９５号公報
【特許文献２】特開２００７−１４６５９９号公報
【特許文献３】特開２０１１−２２６１１４号公報
【発明の概要】
【発明が解決しようとする課題】
【０００４】
このような施設の入退室管理システムでは、照合に用いる識別情報の多様化に伴って、既存の識別情報の他に異なる識別情報についても照合可能とさせる必要がある場合がある。例えば、部署やテナントごとに導入されている入退室管理システムを１つに統合する場合、それぞれの入退室管理システムで用いている個々の識別情報で照合可能とする必要がある。また、識別情報として個人情報を用いる場合、利用者によって使用を許諾する個人情報の種別が異なる場合もある。また、セキュリティ性などの運用面から、指紋などの生体情報からなる新たな識別情報に切り替える場合、すべての利用者に関する新たな識別情報が登録情報として登録されるまでの過渡期において、複数の識別情報で照合可能とさせる必要がある。
【０００５】
しかしながら、前述した従来技術では、入退室判定時の照合に用いる識別情報は、予め定めたいずれか１つの識別情報である。このため、異なる識別情報についても照合可能とするには、それぞれの識別情報ごとに、当該識別情報を照合して入退室判定を行う入退室管理システムを並列的に導入するという対応が考えられる。しかし、このような対応では、管理区画の出入口にそれぞれの入退室管理システムで用いる操作端末を並列的に設置する必要があり、設備コストや設置作業が増大するという問題点に加えて、運用面において利用者が操作しづらいという問題点があった。
【０００６】
本発明はこのような課題を解決するためのものであり、照合に用いる識別情報の多様化に対応可能な入退室管理技術を提供することを目的としている。
【課題を解決するための手段】
【０００７】
このような目的を達成するために、本発明にかかる入退室管理システムは、施設内の各管理区画に設けられて、利用者の記録媒体に記録されている照合用の識別情報を読み出す操作端末と、伝送回線を介して前記操作端末と接続されて、当該操作端末から通知された前記識別情報に基づいて予め登録されている登録情報を参照することにより、前記管理区画に対する前記利用者の入退室可否を照合する照合装置とを備え、前記操作端末は、前記記録媒体から前記識別情報を全て読み出して、これら識別情報ごとに、当該識別情報の照合要求を前記照合装置に対して順に通知する照合要求部と、前記各照合要求に対して前記照合装置から返送された各照合結果から照合成功を示す照合結果を検索し、照合成功の検索有無を示す検索結果を当該照合装置へ通知する照合結果検索部を備え、前記照合装置は、前記操作端末からの前記照合要求の通知に応じて、当該照合要求に含まれる識別情報に基づき前記入退室可否を照合し、得られた照合結果を当該操作端末へ返送する照合処理部と、前記操作端末からの前記検索結果の通知に応じて当該検索結果を確認し、当該検索結果が示す照合成功の検索有無に基づいて、前記管理区画に対する前記利用者の入退室可否を判定する入退室処理部と備えている。
【０００８】
また、本発明にかかる上記入退室管理システムの一構成例は、前記照合要求部が、前記照合装置からの照合成功を示す前記照合結果の返送に応じて、残りの識別情報に関する照合要求の通知を中止し、前記照合結果検索部は、前記照合装置からの照合成功を示す前記照合結果の返送に応じて、照合成功の検索ありを示す検索結果を当該照合装置へ通知するようにしたものである。
【０００９】
また、本発明にかかる入退室管理方法は、施設内の各管理区画に設けられて、利用者の記録媒体に記録されている照合用の識別情報を読み出す操作端末と、伝送回線を介して前記操作端末と接続されて、当該操作端末から通知された前記識別情報に基づいて予め登録されている登録情報を参照することにより、前記管理区画に対する前記利用者の入退室可否を照合する照合装置とを備える入退室管理システムで用いられる入退室管理方法であって、前記操作端末の照合要求部が、前記記録媒体から前記識別情報を全て読み出して、これら識別情報ごとに、当該識別情報の照合要求を前記照合装置に対して順に通知する照合要求ステップと、前記照合装置の照合処理部が、前記操作端末からの前記照合要求の通知に応じて、当該照合要求に含まれる識別情報に基づき前記入退室可否を照合し、得られた照合結果を当該操作端末へ返送する照合処理ステップと、前記操作端末の照合結果検索部が、前記各照合要求に対して前記照合装置から返送された前記各照合結果から照合成功を示す照合結果を検索し、照合成功の検索有無を示す検索結果を当該照合装置へ通知する照合結果検索ステップと、前記照合装置の入退室処理部が、前記操作端末からの前記検索結果の通知に応じて当該検索結果を確認し、当該検索結果が示す照合成功の検索有無に基づいて、前記管理区画に対する前記利用者の入退室可否を判定する入退室処理ステップと備えている。
【００１０】
また、本発明にかかる上記入退室管理方法の一構成例は、前記照合要求ステップが、前記照合装置からの照合成功を示す前記照合結果の返送に応じて、残りの識別情報に関する照合要求の通知を中止し、前記照合結果検索ステップは、前記照合装置からの照合成功を示す前記照合結果の返送に応じて、照合成功の検索ありを示す検索結果を当該照合装置へ通知するようにしたものである。
【発明の効果】
【００１１】
本発明によれば、異なる種類からなる複数の識別情報のうち、いずれか１つの識別情報について照合成功が得られた場合には、入退室可と判定される。したがって、それぞれの識別情報ごとに、当該識別情報を照合して入退室判定を行う入退室管理システムを並列的に導入することなく、１つの入退室管理システムで、照合に用いる識別情報の多様化に対応することができる。
【図面の簡単な説明】
【００１２】
【図１】入退室管理システムの構成を示すブロック図である。
【図２】登録情報の構成例である。
【図３】操作端末における照合要求・検索処理を示すフローチャートである。
【図４】照合装置における照合処理を示すフローチャートである。
【図５】照合装置における入退室処理を示すフローチャートである。
【図６】入退室管理システムの動作例を示すシーケンス図である。
【発明を実施するための形態】
【００１３】
次に、本発明の一実施の形態について図面を参照して説明する。
［入退室管理システム］
まず、図１を参照して、本発明の一実施の形態にかかる入退室管理システム１について説明する。図１は、入退室管理システムの構成を示すブロック図である。
この入退室管理システム１は、施設において特定の管理区画に対する利用者の入退室を管理する機能を有しており、主な構成として、ＩＤカード１０、操作端末２０、照合装置４０、および管理装置５０を備えている。
【００１４】
ＩＤカード１０は、半導体メモリを内蔵するＩＤカードなどの記録媒体からなり、入退室判定に用いる識別情報を記憶する機能を有している。
操作端末２０は、全体として非接触方式または接触方式のカードリーダなど、利用者の操作を受け付ける端末装置からなり、施設内の各管理区画３０に設けられて、利用者のＩＤカード１０に記録されている照合用の識別情報を読み出す機能を有している。
【００１５】
照合装置４０は、工業プラントやビル建物などの施設を管理する施設管理システムで用いられるコントローラなどの情報処理装置からなり、伝送回線Ｌ１を介して操作端末２０とデータ通信可能に接続されて、操作端末２０から通知された識別情報に基づいて予め登録されている登録情報を参照することにより、管理区画３０に対する利用者の入退室可否を照合する機能を有している。
【００１６】
管理装置５０は、サーバ装置などの情報処理装置からなり、照合装置４０から通知された入退室判定処理の内容を示す履歴情報を蓄積する機能を有している。
各管理区画３０には、操作端末２０のほか、当該管理区画３０で入退室するためのドア３１と、当該ドア３１の施錠／開錠を行う電気錠３２とが設けられており、この電気錠３２が伝送回線Ｌ１を介して照合装置４０からの指示により動作するものとなっている。
【００１７】
本実施の形態は、このような操作端末２０に照合要求部２３および照合結果検索部２４を設けるとともに、照合装置４０に照合処理部４４および入退室処理部４５を設け、ＩＤカード１０に記録されている複数の識別情報のいずれかにおいて照合が成功した場合は、管理区画３０に対して入退室可と判定するようにしたものである。
【００１８】
次に、図１を参照して、本実施の形態にかかる操作端末２０および照合装置４０の構成について説明する。
操作端末２０には、主な機能部として、伝送Ｉ／Ｆ部２１、カードＩ／Ｆ部２２、照合要求部２３、および照合結果検索部２４が設けられている。
【００１９】
伝送Ｉ／Ｆ部２１は、一般的なデータ伝送回路からなり、伝送回線Ｌ１を介して照合装置４０との間でデータ伝送を行うことにより、照合要求、照合結果、検索結果などの入退室判定処理に用いる各種メッセージをやり取りする機能を有している。
カードＩ／Ｆ部２２は、一般的な非接触方式／接触方式のＩ／Ｆ回路からなり、ＩＤカード１０から予め記録されている照合用の識別情報など、各種の記録データを読み出す機能を有している。
【００２０】
照合要求部２３は、ＣＰＵなどの演算処理回路からなり、カードＩ／Ｆ部２２を介してＩＤカード１０から識別情報を全て読み出す機能と、これら識別情報ごとに、当該識別情報の照合要求を伝送Ｉ／Ｆ部２１から照合装置４０に対して順に通知する機能とを有している。この照合要求には、当該照合要求がどの管理区画３０の入退室に関するものかを特定するための区画特定情報として、例えば操作端末２０を識別するための端末ＩＤが含まれている。
【００２１】
照合結果検索部２４は、各照合要求に対して照合装置４０から返送されて伝送Ｉ／Ｆ部２１を介して受信した照合結果から照合成功を示す照合結果を検索する機能と、照合成功の検索有無を示す検索結果を伝送Ｉ／Ｆ部２１から照合装置４０へ通知する機能とを有している。
【００２２】
照合装置４０は、主な機能として、伝送Ｉ／Ｆ部４１、通信Ｉ／Ｆ部４２，登録情報記憶部４３、照合処理部４４、および入退室処理部４５が設けられている。
【００２３】
伝送Ｉ／Ｆ部４１は、一般的なデータ伝送回路からなり、伝送回線Ｌ１を介して操作端末２０との間でデータ伝送を行うことにより、照合要求、照合結果、検索結果などの入退室判定処理に用いる各種メッセージをやり取りする機能と、伝送回線Ｌ１を介して電気錠３２との間でデータ伝送を行うことにより、開錠指示や施錠指示などの入退室判定処理に用いる各種メッセージをやり取りする機能とを有している。
【００２４】
通信Ｉ／Ｆ部４２は、一般的なデータ通信回路からなり、通信回線Ｌ２を介して管理装置５０との間でデータ通信を行うことにより、入退室の履歴を示す履歴情報など、入退室判定処理に関する各種管理情報をやり取りする機能を有している。
【００２５】
登録情報記憶部４３は、ハードディスクや半導体メモリなどの記憶装置からなり、操作端末２０から通知された識別情報に基づいて、入退室可否を照合するための登録情報を記憶する機能を有している。
図２は、登録情報の構成例である。ここでは、利用者の個人ＩＤごとに、カードＩＤと、利用者に関する氏名、電話番号、メールアドレス、部署名と、当該利用者が入退室可能な管理区画を示す許可区画と、管理区画を区分して設けたゾーンのゾーン番号、登録情報の登録有無を示す登録状態が組として登録されている。
【００２６】
照合処理部４４は、伝送Ｉ／Ｆ部４１を介して受信した操作端末２０からの照合要求の通知に応じて、当該照合要求に含まれる識別情報に基づき登録情報記憶部４３の登録情報を参照することにより、管理区画３０に対する利用者の入退室可否を照合する機能と、得られた照合結果を伝送Ｉ／Ｆ部４１から操作端末２０へ返送する機能とを有している。この際、照合処理部４４は、照合要求に含まれている区画特定情報から、判定対象となる管理区画３０を特定し、当該照合要求に含まれる識別情報と対応する登録情報の許可区画に、判定対象となる管理区画３０が含まれているか否かにより、管理区画３０に対する利用者の入退室可否を照合する。
【００２７】
入退室処理部４５は、伝送Ｉ／Ｆ部４１を介して受信した操作端末２０からの検索結果の通知に応じて当該検索結果を確認する機能と、当該検索結果が示す照合成功の検索有無に基づいて管理区画３０に対する利用者の入退室可否を判定する機能と、入退室可の判定に応じて伝送Ｉ／Ｆ部４１から当該管理区画３０の電気錠３２へ開錠指示を通知する機能と、入退室判定の履歴情報を通信Ｉ／Ｆ部４２から通信回線Ｌ２を介して管理装置５０へ通知する機能とを有している。
【００２８】
［本実施の形態の動作］
次に、図３を参照して、本実施の形態にかかる操作端末２０の照合要求・検索処理動作について説明する。図３は、操作端末における照合要求・検索処理を示すフローチャートである。
操作端末２０は、利用者によるカード操作に応じて、図３の照合要求・検索処理を実行する。
【００２９】
まず、照合要求部２３は、カードＩ／Ｆ部２２を介してＩＤカード１０から識別情報を全て読み出す（ステップ１００）。
続いて、照合要求部２３は、これら識別情報から未照合の識別情報を１つ選択し（ステップ１０１）、選択した選択識別情報の照合要求を伝送Ｉ／Ｆ部２１から照合装置４０に対して通知する（ステップ１０２）。
【００３０】
照合結果検索部２４は、照合要求に対して照合装置４０から返送されて伝送Ｉ／Ｆ部２１を介して受信した照合結果が照合成功を示すか否か確認することにより、照合成功を示す照合結果を検索する（ステップ１０３）。
ここで、受信した照合結果が照合失敗を示す場合（ステップ１０３：ＮＯ）、照合結果検索部２４は、全ての識別情報について照合が終了したか確認し（ステップ１０４）、未照合の識別情報が存在する場合（ステップ１０４：ＮＯ）、ステップ１０１へ戻る。
【００３１】
一方、全ての識別情報について照合が終了した場合（ステップ１０４：ＹＥＳ）、照合結果検索部２４は、照合成功の検索なしを示す検索結果を伝送Ｉ／Ｆ部２１から照合装置４０へ通知し（ステップ１０５）、一連の照合要求・検索処理を終了する。
【００３２】
また、ステップ１０３において、受信した照合結果が照合成功を示す場合（ステップ１０３：ＹＥＳ）、照合結果検索部２４は、照合成功の検索ありを示す検索結果を伝送Ｉ／Ｆ部２１から照合装置４０へ通知し（ステップ１０６）、一連の照合要求・検索処理を終了する。
【００３３】
次に、図４を参照して、本実施の形態にかかる照合装置４０の照合処理動作について説明する。図４は、照合装置における照合処理を示すフローチャートである。
照合装置４０は、操作端末２０からの照合要求に応じて、図４の照合処理を実行する。
【００３４】
まず、照合処理部４４は、操作端末２０からの照合要求に含まれる識別情報を取得し（ステップ１１０）、得られた識別情報に基づき登録情報記憶部４３の登録情報を参照して、当該識別情報と対応する許可区画を検索する（ステップ１１１）。
これにより、照合処理部４４は、当該識別情報と対応する許可区画が登録されているか確認し（ステップ１１２）、許可区画が登録されている場合（ステップ１１２：ＹＥＳ）、照合処理部４４は、検索により得られた当該許可区画に基づいて、操作端末２０と対応する入退室判定対象となる対象区画が入退室許可されているか確認する（ステップ１１３）。
【００３５】
ここで、対象区画が入退室許可されている場合（ステップ１１３：ＹＥＳ）、照合処理部４４は、照合成功を示す照合結果を伝送Ｉ／Ｆ部４１から操作端末２０へ返送し（ステップ１１４）、一連の照合処理を終了する。
【００３６】
一方、ステップ１１２において、当該識別情報と対応する許可区画が登録されていない場合（ステップ１１２：ＮＯ）、および、ステップ１１３において、対象区画が入退室許可されていない場合（ステップ１１３：ＮＯ）、照合処理部４４は、照合成功を示す照合結果を伝送Ｉ／Ｆ部４１から操作端末２０へ返送し（ステップ１１４）、一連の照合処理を終了する。
【００３７】
次に、図５を参照して、本実施の形態にかかる照合装置４０の入退室処理動作について説明する。図５は、照合装置における入退室処理を示すフローチャートである。
照合装置４０は、操作端末２０からの検索結果に応じて、図５の入退室処理を実行する。
【００３８】
まず、入退室処理部４５は、操作端末２０からの検索結果に含まれる照合成功検索有無を取得し（ステップ１２０）、当該照合成功検索有無が照合成功の検索ありを示すかどうか確認する（ステップ１２１）。
ここで、当該照合成功検索有無が照合成功の検索ありを示す場合（ステップ１２１：ＹＥＳ）、入退室処理部４５は、管理区画３０に対する利用者の入退室可と判定して、伝送Ｉ／Ｆ部４１から当該管理区画３０の電気錠３２へ開錠指示を通知する（ステップ１２２）。
【００３９】
この後、入退室処理部４５は、これら入退室判定に関する履歴情報を通信Ｉ／Ｆ部４２から通信回線Ｌ２を介して管理装置５０へ通知して蓄積し（ステップ１２３）、一連の入退室処理を終了する。
一方、当該照合成功検索有無が照合成功の検索なしを示す場合（ステップ１２１：ＮＯ）、入退室処理部４５は、管理区画３０に対する利用者の入退室不可と判定して、電気錠３２へ開錠指示を通知することなく、ステップ１２３へ移行して、これら入退室判定に関する履歴情報を通信Ｉ／Ｆ部４２から通信回線Ｌ２を介して管理装置５０へ通知して蓄積し（ステップ１２３）、一連の入退室処理を終了する。
【００４０】
［本実施の形態の動作例］
次に、図６を参照して、本実施の形態にかかる入退室管理システム１の動作例について説明する。図６は、入退室管理システムの動作例を示すシーケンス図である。
ここでは、照合用の識別情報として、例えばカードＩＤとメールアドレスからなる、異なる２つの識別情報Ａ，ＢがＩＤカード１０に記録されている場合を例として説明する。
【００４１】
まず、操作端末２０は、利用者のカード操作に応じてＩＤカード１０から全ての識別情報Ａ，Ｂを読み出し（ステップ２００，２０１）、操作端末２０内の記憶部（図示せず）に一時保存する。
次に、操作端末２０は、識別情報Ａに関する照合要求を照合装置４０に通知し（ステップ２１０）、これに応じて照合装置４０は、識別情報Ａを登録情報と照合し（ステップ２１１）、その照合結果を返送する（ステップ２１２）。
【００４２】
操作端末２０は、照合装置４０からの識別情報Ａに関する照合結果を確認し（ステップ２１３）、照合成功を示す場合（ステップ２１３：ＹＥＳ）、残りの識別情報Ｂに関する照合要求を中止して、照合成功の検索ありを示す検索完了を照合装置４０へ通知する（ステップ２１４）。
これに応じて照合装置４０は、操作端末２０と対応する管理区画３０の電気錠３２に対して、開錠指示を通知し（ステップ２１５）、一連の照合処理の履歴を示す照合履歴を管理装置５０に通知して蓄積する（ステップ２１６）。
【００４３】
一方、ステップ２１３において、照合結果が照合失敗を示す場合（ステップ２１３：ＮＯ）、操作端末２０は、次の識別情報Ｂに関する照合要求を照合装置４０に通知し（ステップ２２０）、これに応じて照合装置４０は、識別情報Ｂを登録情報と照合し（ステップ２２１）、その照合結果を返送する（ステップ２２２）。
【００４４】
操作端末２０は、照合装置４０からの識別情報Ｂに関する照合結果を確認し（ステップ２２３）、照合成功を示す場合（ステップ２２３：ＹＥＳ）、照合成功の検索ありを示す検索完了を照合装置４０へ通知する（ステップ２２４）。
これに応じて照合装置４０は、操作端末２０と対応する管理区画３０の電気錠３２に対して、開錠指示を通知し（ステップ２２５）、一連の照合処理の履歴を示す照合履歴を管理装置５０に通知して蓄積する（ステップ２２６）。
【００４５】
一方、ステップ２２３において、照合結果が照合失敗を示す場合（ステップ２２３：ＮＯ）、操作端末２０は、照合成功の検索なしを示す検索完了を照合装置４０へ通知する（ステップ２３０）。
これに応じて照合装置４０は、操作端末２０と対応する管理区画３０の電気錠３２に対して、開錠指示を通知することなく、一連の照合処理の履歴を示す照合履歴を管理装置５０に通知して蓄積する（ステップ２３１）。
【００４６】
［本実施の形態の効果］
このように、本実施の形態は、操作端末２０の照合要求部２３が、ＩＤカード１０から識別情報を全て読み出して、これら識別情報ごとに、当該識別情報の照合要求を照合装置４０に対して順に通知し、照合装置４０の照合処理部４４が、操作端末２０からの照合要求の通知に応じて、当該照合要求に含まれる識別情報に基づき入退室可否を照合し、得られた照合結果を操作端末２０へ返送し、操作端末２０の照合結果検索部２４が、各照合要求に対して照合装置４０から返送された照合結果から照合成功を検索し、照合成功の検索有無を示す検索結果を照合装置４０へ通知し、照合装置４０の入退室処理部４５が、操作端末２０からの検索結果の通知に応じて検索結果を確認し、検索結果が示す照合成功の検索有無に基づいて管理区画に対する利用者の入退室可否を判定するようにしたものである。
【００４７】
これにより、異なる種類からなる複数の識別情報のうち、いずれか１つの識別情報について照合成功が得られた場合には、入退室可と判定される。したがって、それぞれの識別情報ごとに、当該識別情報を照合して入退室判定を行う入退室管理システムを並列的に導入することなく、１つの入退室管理システムで、照合に用いる識別情報の多様化に対応することができる。
【００４８】
このため、部署やテナントごとに異なる識別情報で照合を行う入退室管理システムが導入されている場合でも、これら識別情報を登録情報として登録するだけで、極めて容易に１つの入退室管理システムに統合することが可能となる。
また、識別情報として個人情報を用いる場合、利用者によって使用を許諾する個人情報の種別が異なる場合にも、各利用者が許諾する個人情報を登録情報として登録するだけで、極めて容易に利用者のニーズに対応することが可能となる。
また、セキュリティ性などの運用面から、指紋などの生体情報からなる新たな識別情報に切り替える際でも、新たな識別情報が登録情報として順次登録される過渡期においても、極めて容易に新旧の識別情報に対応することが可能となる。
【００４９】
また、本実施の形態の操作端末２０において、すべての識別情報に関する照合要求を行い、これら照合要求に対する照合結果から照合成功を検索してもよい。例えば、すべての識別情報に関する照合結果を受け取った後、これら照合結果から照合成功を検索してもよい。
【００５０】
一方、照合要求部２３が、照合装置４０からの照合成功を示す照合結果の返送に応じて、残りの識別情報に関する照合要求の通知を中止し、照合結果検索部２４が、同じく照合装置４０からの照合成功を示す照合結果の返送に応じて、照合成功の検索ありを示す検索結果を照合装置４０へ通知するようにしてもよい。これにより、残りの識別情報に対する余剰な照合処理を省くことができ、入退室管理システムにおける応答性さらに電力消費を改善することが可能となる。
【００５１】
また、本実施の形態において、各識別情報について照合要求をする順序を、予め登録されている照合順序に基づき照合要求を行うようにしてもよい。例えば、図２に示した識別情報のうち、個人ＩＤやカードＩＤは必ず登録されているが、利用者によっては、登録情報として、電話番号や電子メールアドレスを登録していない場合もある。このような場合には、電話番号や電子メールアドレスにより照合成功が得られる可能性が低下する。したがって、識別情報の登録状況などを考慮した照合順序で照合要求することにより、照合成功を得るまでの照合回数を削減することが可能となる。
【００５２】
また、本実施の形態では、いずれか１つの識別情報に対する照合成功が得られた場合に、入退室可と判定する場合を例として説明したが、これに限定されるものではない。例えば、ＩＤカード１０に比較的多くの識別情報が登録されており、複数の識別情報で照合成功が得られる場合には、２以上の検出しきい値を設け、照合成功が検出しきい値に達した時点で入退室可と判定するようにしてもよい。これにより、入退室判定の精度を高めることができる。
【００５３】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。
【符号の説明】
【００５４】
１…入退室管理システム、１０…記録媒体、２０…操作端末、２１…伝送Ｉ／Ｆ部、２２…カードＩ／Ｆ部、２３…照合要求部、２４…照合結果検索部、３０…管理区画、３１…ドア、３２…電気錠、４０…照合装置、４１…伝送Ｉ／Ｆ部、４２…通信Ｉ／Ｆ部、４３…登録情報記憶部、４４…照合処理部、４５…入退室処理部、５０…管理装置、Ｌ１…伝送回線、Ｌ２…通信回線。
【図１】
2015036469.tif 000003
【図２】
2015036469.tif 000004
【図３】
2015036469.tif 000005
【図４】
2015036469.tif 000006
【図５】
2015036469.tif 000007
【図６】
2015036469.tif 000008